(57)【要約】【課題】従来の位置連絡装置では、子機を携行する被保護者の現在位置を知るために第３者が運営する管理センターを介さなければならないためコストが高くなる。また、大規模災害等で携帯通信設備が機能しなくなった場合  全く機能しなくなる問題があった。【解決手段】親機と子機のそれぞれに固有の番号を持たせ、互いに相手の番号を記憶しておき、それによって特定の相手からの呼び出しを判別する受信監視部と  受信監視部から出力される信号を受け発信部が起動され自動応答させることができる。また、内線通話回路が、登録済みの特定の親機と子機の間の直接的な通話を可能とすることによって携帯通信設備が機能しなくなった場合にも親機と子機の間の通信を確保することができる。【選択図】図２
2005167952.tif 000002
【特許請求の範囲】
【請求項１】
特定の親機からの呼び出しを判別する受信監視部と  受信監視部から出力される信号を受けた発信制御部が発信部に電源を起動して自動的に応答する機能を有する通信装置。
【請求項２】
災害時などで携帯電話設備が機能しなくなった場合に、登録済みの特定の親機と子機の間に直接的かつ独立的な連絡を可能とする内線通話回路を有し、番号の選択とうの簡単な操作でメッセージ入力部から入力されたメッセージを記憶するメッセージ記憶部からボタン操作等の簡単な操作でメッセージを選択して送信できる通信装置
【請求項３】
互いの位置を推定できる機能を使って遊びに利用するのものである。「鬼ごっこ」で鬼にあたった者は、自分の持つ親機１から  隠れている他の者の持つ子機２に問い掛けを行いそれぞれの子機からの応答信号の強度を用いて隠れている者を見つけることができる。
【発明の詳細な説明】
【技術分野】
【０００１】    本発明は、親機の質問に対し自動応答して自己の存在を通報する子機のコスト低減を図った無線機システムとその運用方法に関する。
【技術背景】
【０００２】    従来の装置には、ＧＰＳを装着した携帯電話が  管理センターからの問合せに対して自己の現在位置を通報するものがある。また、送受信通達距離の短いＰＨＳ携帯電話で中継アンテナの位置を自己位置の代表値として報告するものもある。
【発明の開示】
【発明が解決しようとする課題】
【０００３】    以上に述べた従来の装置では、対象の現在位置を知るために第３者が運営する管理センターを介さなければならないためコストが高くなる。また、大規模災害等で携帯通信設備が機能しなくなった場合  対象の位置を知ることができないものであった。【０００４】    本発明は、このような従来の構成が有していた課題を解決しようとするものであり、管理センター等の第３者を介すことなく対象の現在位置を知ることができるようにし、更に、携帯通信施設が機能しなくなった場合でも対象の位置を知ることを実現することを目的とするものである。
【課題を解決するための手段】
【０００５】    本発明は、上記目的を達成するために、親機と子機にそれぞれ固有の番号を持たせ、互いに相手の番号を記憶しておき、それによって特定の相手からの呼び出しを判別する受信監視部と  受信監視部から出力される信号を受け送信部を起動する発信制御部を配置する構成としたものである。【０００６】    また、第２の課題解決手段は、親機と子機に内線通話回路を配置する構成としたものである。【０００７】    また、第３の課題解決手段は、メッセージを入力するメッセージ入力部と入力されたメッセージを記憶するメッセージ記憶部を配置する構成としたものである。【０００８】    上記第１の課題解決手段による作用は次の通りである。すなわち、子機は、事前に登録された特定の親機の固有番号を記憶しており、親機の呼び出しを判別できる受信監視部の制御により発信制御部を起動し発信部に自動応答させることができる。【０００９】    また、第２の課題解決手段による作用は、内線通話回路が、登録済みの特定の親機と子機の間の直接的な通話を可能とすることができる。【００１０】    また、第３の課題解決手段による作用は、事前にメッセージ記憶部に記憶されたメッセージの中から選択したメッセージを、もしくは、メッセージ入力部から入力したメッセージを発信することができる。
【発明の効果】
【００１１】    上述したように本発明の自動応答機能付き連絡装置は、子機を携行する子供、老人、ペット等の被保護者の現在位置を第３者の介入なしに親機からの質問に子機が自動応答することによって親機が直接知る手段を提供できるため、被保護者の居場所が安価に把握できる。【００１２】    また、内線通話回路が親機と子機との通話を可能とするため、さらに災害時等で通信設備が機能しなくなった場合にも、特定の親機と子機の間で通信を確保するという効果を発揮する。【００１３】    事前に決められたメッセージを選択して送信できるようにすることで、緊急時に必要な連絡も可能となり、通常の携帯電話にある音声に関する回路と部品を省けるのでコストも低減できる。【００１４】    ダイヤルキー等を用いたメッセージ入力部を装備して自由なメッセージを入力、送信することもできる。【００１５】    さらに、子機の居場所を概略見つける手段を安価に提供できるため、「鬼ごっこ」等の遊びにも使うことができる。
【発明を実施するための最良の形態】
【００１６】    以下、本発明の実施の形態を図１〜図２に基づいて説明する。【００１７】    図１においては、親機１と子機２は、携帯通信設備３を介した通信方法か、１と２が直接的に通信する内線系統４のいずれかの系統で通信する。【００１８】    図２は、親機１、もしくは子機２の主要な構成を示す。受信部５で受けた信号から受信監視部６で発信者を特定する。６で親機からの受信と判断された場合、発信制御部８は、発信部９へ電源を供給し発信をさせる。６で内線通話と判断された場合に内線通話を行う内線通話回路１０、メッセージ入力部１１で入力されたメッセージを記憶するメッセージ記憶部１２から構成される。【００１９】    以下、上記構成の動作を説明する。当該発明の通信は、従来の携帯電話の設備３を介した通信か、もしくは、親機１と子機２が直接的に通信する内線通話によって構成される。【００２０】    ここで、子機２は事前に親機１の固有番号を登録される。登録された親機１からの呼び出しを受けた子機２の受信部５は受信信号を受信監視部６で監視し、事前に登録された親機の固有番号と一致した場合に発信制御部８を起動する。起動された８は、発信部９に電力を供給して、親機１からの呼び出しに応答する。特定の親機１からの呼び出しを受けていない間は、８は９への電力を遮断し、消費電力を節約する。【００２１】    ２の応答を受けた１は、受信信号の強度から２までの距離を推定でき、２の位置を知ることができる。この際に、１のアンテナに指向性のものを使うことによって方向も推定することもできる。【００２２】    ２は１の呼び出しに応答する際に  事前にメッセージ記憶部１２に記憶された幾つかのメッセージから選択したものを返すこともできる。メッセージ入力部１１を有する２は、適宜に任意のメッセージを入力して応答信号に乗せることができる。【００２３】    また、１と２との通信に携帯通信設備３を介することなく直接的に通信する内線通話を選択した場合には、１と２の内線通話回路１０を用いて通信を行うことができる。
【実施例】
【００２４】    本発明の実施例１は、子供、老人、ペット等の被保護者に図２の自動応答機能付きの連絡装置を持たせる。保護者は親機１から子機２を呼び出すと、子機２は事前登録された特定の親機１を判別すると発信部９に起動して自動応答する。親機１は、子機２の応答信号の強度を判別して被保護者までの距離を推定する。  携帯通信設備にその子機２がアクセスする既設のアンテナの特定の位置を知らせる機能を持たせた場合、親機１は子機２の存在するエリアを知ることもできる。【００２５】    本発明の実施例２は、親機１と子機２の間、もしくは、子機２と他の子機との間で、互いの位置を推定できる機能を使って遊びに利用するのものである。「鬼ごっこ」で鬼にあたった者は、自分の持つ親機１から  隠れている他の者の持つ子機２に問い掛けを行いそれぞれの子機からの応答信号の強度を用いて隠れている者を見つけることができる。
【図面の簡単な説明】
【００２６】
【図１】本発明で使用する通信の要領
【図２】本発明の連絡装置の概略ブロック図
【符号の説明】
１：親機
２：子機
５：受信部
６：受信監視部
７：中央制御部
８：発信制御部
９：発信部
１０：内線通話回路
１１：メッセージ入力部
１２：メッセージ記憶部
【図１】
2005167952.tif 000003
【図２】
2005167952.tif 000004